(57)【要約】【課題】小径部、拡径部、大径部を繊維強化樹脂で形成したリアグリップを有する釣竿において、前記リアグリップを、真円に近い形状で強度が低下することのない構成にする。【解決手段】本発明の釣竿は、小径部、拡径部、大径部を具備し、小径部、拡径部、大径部をプリプレグによって形成した中空のリアグリップを装着している。リアグリップは、本体層を、先側と元側で同じ幅の複数枚の分割シート１２，１３，１４，１５で構成すると共に、少なくとも大径部には、巻回される各分割シートに対して１周以上巻回される補助シート２２が積層されていることを特徴とする。【選択図】  図２
2020162463.tif 000002
【特許請求の範囲】
【請求項１】
小径部、拡径部、大径部を具備し、前記小径部、拡径部、大径部をプリプレグによって形成した中空のリアグリップを装着した釣竿において、
前記リアグリップは、本体層を、先側と元側で同じ幅の複数枚の分割シートで構成すると共に、少なくとも前記大径部には、巻回される各分割シートに対して１周以上巻回される補助シートが積層されていることを特徴とする釣竿。
【請求項２】
前記補助シートの一部は、前記拡径部に巻回されており、
前記拡径部では、その巻き始め端縁と、巻き終わり端縁が周方向で離間していることを特徴とする請求項１に記載の釣竿。
【請求項３】
前記補助シートは、前記大径部において、分割シートが対向配置された分割シート組の間で周方向に亘って介在した状態で巻回されている、ことを特徴とする請求項１又は２に記載の釣竿。
【請求項４】
前記小径部には、巻回される各分割シートに対して１周以上巻回される先側補助シートが巻回されている、ことを特徴とする請求項１から３のいずれか１項に記載の釣竿。
【請求項５】
前記先側補助シートは、１周以上巻回される内側の分割シートと、その外側で１周以上巻回される外側の分割シートの間に介在した状態で巻回されている、ことを特徴とする請求項４に記載の釣竿。
【請求項６】
前記先側補助シートの一部は、前記拡径部に巻回されており、
前記拡径部では、その巻き始め端縁と、巻き終わり端縁が周方向で離間していることを特徴とする請求項４又は５に記載の釣竿。
【発明の詳細な説明】
【技術分野】
【０００１】
本発明は、繊維強化樹脂で一体形成されたリアグリップを有する釣竿に関する。
【背景技術】
【０００２】
従来、繊維強化樹脂製のリアグリップを備えた釣竿が知られている。リアグリップは、軽量化、操作性、握持性を考慮して、釣竿後端に向けて、小径部から拡径部（テーパ部）を介して大径部に移行するように構成されている。このような繊維強化樹脂製のリアグリップは、外観が同形状のマンドレル（芯金）に対して、複数枚の繊維強化樹脂製のシート部材（以下、プリプレグとも称する）を巻回し、これを熱硬化、脱芯することで形成することが可能である。
【０００３】
上記したプリプレグをマンドレルに巻回してリアグリップを形成する場合、その本体層を構成するプリプレグ（リアグリップの全長を形成するプリプレグとして定義される）が１周以上巻回されると皺等が生じるため、本体層を構成するプリプレグを複数枚の分割シートで構成し、これをマンドレルに巻回してリアグリップを形成することが知られている（例えば、特許文献１）。
この特許文献１に開示された分割シートは、先側から元側に至るまで同じ幅（長方形状；細幅帯状）に裁断したものを４枚組としており、これを２セットにして、各分割シートの幅方向端部を周方向に重ねてマンドレルに巻回している。この場合、小径部の巻回数より大径部の巻回数を少なくすることで、大径部の肉厚を薄くして感度を向上するようにしている。
【先行技術文献】
【特許文献】
【０００４】
【特許文献１】特開２０１８−７５７６号
【発明の概要】
【発明が解決しようとする課題】
【０００５】
上記したように、長方形状の複数枚の分割シートを、小径部、拡径部、大径部を有するマンドレルに巻回すると、大径部での各分割シートの重ね代の調整や、貼り付け位置によってはシートがねじれ易くなり、その状態で加熱処理すると、真円からのずれが大きくなってしまい、外観が悪くなる、或いは、強度が安定しない、という問題がある。
【０００６】
本発明は、上記した問題に着目してなされたものであり、小径部、拡径部、大径部を繊維強化樹脂で形成したリアグリップを有する釣竿において、前記リアグリップを、真円に近い形状で強度が低下することのない構成にすることを目的とする。
【課題を解決するための手段】
【０００７】
上記した目的を達成するために、本発明に係る釣竿は、小径部、拡径部、大径部を具備し、前記小径部、拡径部、大径部をプリプレグによって形成した中空のリアグリップを装着ており、前記リアグリップは、本体層を、先側と元側で同じ幅の複数枚の分割シートで構成すると共に、少なくとも前記大径部には、巻回される各分割シートに対して１周以上巻回される補助シートが積層されていることを特徴とする。
【０００８】
上記した構成の釣竿のリアグリップは、繊維強化樹脂製のプリプレグによって形成される。リアグリップの本体層は、プリプレグを先側と元側で同じ幅にした複数枚の分割シートにして巻回することで構成されており、小径部から拡径部を介して大径部に至る領域では、１枚のシートで本体層を構成するのではなく、複数枚の分割シートで構成するため、皺が発生することなく、外観を綺麗に仕上げることが可能となる。この場合、大径部には、分割して巻回される分割シートとは別に、１周以上巻回される補助シートが積層されることから、各分割シートがねじれることが防止され、強度が安定する。また、３６０°以上周方向に連続した層（補助シート層）によって、分割シートによる本体層がねじれることはなく、真円形状に近付けることが可能となり、外観が低下することが防止される。
【発明の効果】
【０００９】
本発明によれば、小径部、拡径部、大径部を繊維強化樹脂で形成したリアグリップを有する釣竿において、前記リアグリップを、真円に近い形状で強度が低下することのない構成にした釣竿が得られる。
【図面の簡単な説明】
【００１０】
【図１】本発明に係る釣竿の一実施形態を示す図。
【図２】図１に示す釣竿のリアグリップ部分を構成するプリプレグの配列パターンの一例を示す図。
【図３】図２のＡ−Ａ線に沿った断面図（小径部の断面図）。
【図４】図２のＢ−Ｂ線に沿った断面図（拡径部の先端側の断面図）。
【図５】図２のＣ−Ｃ線に沿った断面図（拡径部の基端側の断面図）。
【図６】図２のＤ−Ｄ線に沿った断面図（大径部の断面図）。
【図７】リアグリップを拡大して示す側面図。
【図８】（ａ）は、リアグリップを拡大して示す平面図、（ｂ）は、図（ａ）のＥ−Ｅ線に沿った断面図。
【図９】（ａ）は、リアグリップを拡大して示す裏面図、（ｂ）は、図（ａ）のＦ−Ｆ線に沿った断面図。
【図１０】リアグリップの変形例を示す図。
【発明を実施するための形態】
【００１１】
図１は、本発明に係る釣竿の全体構成を示す図である。
本実施形態の釣竿１は、ルアー釣りに適した構成とされており、元竿管１Ａと、複数の中竿管（２本の中竿管）１Ｂ，１Ｃと、穂先竿管１Ｄとが継ぎ構造によって継ぎ合わされた構成となっている。この場合、継ぎ構造については、振出式、並継式、インロー継ぎ式等、限定されることはない。また、継本数についても限定されることはなく、１本竿であっても良い。
【００１２】
前記元竿管１Ａ及び中竿管１Ｂ，１Ｃは、公知のように繊維強化樹脂製の管状体として構成されており、例えば、強化繊維（主に炭素繊維やガラス繊維等）に、エポキシ樹脂等の合成樹脂を含浸した繊維強化樹脂のプリプレグシートを芯金（マンドレル）に巻回し加熱工程を経た後、脱芯するなど、定法に従って形成されている。なお、穂先竿管１Ｄについては、管状体として構成されていても良いが、中実ソリッド、或いは、ソリッド体と管状体の組み合わせで構成されていても良い。
【００１３】
前記元竿管１Ａには、リールシート３が設けられるとともに、各竿管には、リールシート３に装着したリールＲから放出される釣糸を案内する釣糸ガイド５Ａ及びトップガイド５Ｂが所定間隔をおいて設けられている（ガイドの一部は遊動式であっても良い）。
【００１４】
また、リールシート３の前方側には、前握持部７Ａが設けられ、後方側には後握持部７Ｂが設けられている。各握持部７Ａ，７Ｂは、ＥＶＡ、コルク、発泡性樹脂等によって形成されており、元竿管１Ａ、或いは、筒状に形成されたリールシート３の外面に取着されている。また、後握持部７Ｂよりも後方側は、リアグリップ１０が設けられており、このリアグリップ１０は、略ストレート状に延出する小径部１０Ａ，小径部１０Ａから後方に向けて拡径する拡径部（テーパ部）１０Ｂ及び拡径部から後方に略ストレート状に延出する大径部１０Ｃを備えた構造となっている。この場合、大径部１０Ｃの後端開口は、尻栓に５０よって閉塞されている。
【００１５】
上記した形状のリアグリップ１０は、釣竿を構成する竿管と同様、中空形状で、繊維強化樹脂によって一体形成されており、外観が同形状のマンドレルに対して、複数枚の繊維強化樹脂製のシート部材（プリプレグ）を巻回し、これを熱硬化、脱芯することで形成されている。リアグリップ１０は、軸方向に所定の長さを有しており、前記元竿管１Ａと、例えば、リールシート３の内部で連結されて一体化される。この場合、元竿管１Ａとの連結構造、連結位置については限定されることはなく、例えば、繊維強化樹脂製の元竿管１Ａの後端側が、そのままリアグリップ１０を構成するものであっても良い。また、前記後握持部７Ｂについては、リアグリップ１０の小径部１０Ａに取着されていても良い。
【００１６】
本発明は、上記したように、繊維強化樹脂製のリアグリップ１０の構造に特徴を備えている。以下、リアグリップ１０の構成について、図２から図９を参照して説明する。
【００１７】
図２に示すように、リアグリップ１０は、小径部１００Ａ、拡径部１００Ｂ、大径部１００Ｃを有するマンドレル１００に、複数枚のプリプレグを巻回し、これを熱硬化して脱芯することで形成される。すなわち、マンドレルに巻回されて形成されるリアグリップ１０は、長さ方向の全長を形成する本体プリプレグ（本体シートと称する）と、それ以外の補助プリプレグ（長さ方向が短く、マンドレルに対して補助的に巻回される補助シートと称する）で構成される。
【００１８】
前記本体プリプレグ及び補助プリプレグは、公知のように、強化繊維（例えば、炭素繊維、ガラス繊維、アラミド繊維）にエポキシ樹脂、ポリエステル樹脂、フェノール樹脂等のマトリックス樹脂を含浸して形成されたシート状の部材である。
【００１９】
前記本体シートは、複数枚のシート（分割シートと称する）で構成されており、これをマンドレル１００に対して、周方向にずれた位置を巻き始め位置にして巻回する。具体的に、本実施形態では、本体シートを、大きさが等しい４枚の分割シート１２，１３，１４，１５で構成しており、各分割シートは、先側と元側で同じ幅にした長方形状（厳密な長方形以外にも、多少の台形状を含む概念である）に裁断して構成されている。この複数の分割シート（本体シート）１２〜１５によって、リアグリップの全長を形成する基本となる層（本体層と称する）が形成される。
【００２０】
前記補助シートは、その機能によって、マンドレル１００に対する配設位置、軸長方向長さ、巻回量、巻き始め位置等が異なる。本実施形態では、内層側から順に補助シート２１，２２，２３，２４，２５，２６が巻回され、リアグリップの範囲内で、前記本体層と共に積層構造を構成する補助層を形成する。なお、図３から図６の断面図では、各補助シートが分かりやすいように、白抜きで示すこととする。
【００２１】
前記各分割シート１２〜１５は、それぞれ、マンドレル１００の小径部１００Ａに対して、０．５プライ（１８０°巻回）され、大径部１００Ｃに対して、０．２５プライ（９０°巻回）されるような幅を有している。このため、拡径部１００Ｂに対しては、後方に向けて次第に巻回数が減少する（０．５プライから０．２５プライに減少する）。なお、実際には、各分割シート１２〜１５は、マンドレル１００の小径部１００Ａ領域において、端部に重ね代（隣接する分割シートと端部同士が重なる重合部）を確保するため、若干、幅広に形成されている。
【００２２】
また、各分割シート１２〜１５は、マンドレル１００に対する巻き始め位置が異なるように巻回される。具体的には、図３から図６の断面図に示すように、マンドレル１００を穂先側から見て巻回方向（反時計回り方向）を考慮した際、１２時の位置を０°、９時の位置を９０°、６時の位置を１８０°、３時の位置を２７０°、１周した１２時の位置を３６０°として定義すると、各分割シート１２〜１５の各端縁１２ａ，１３ａ，１４ａ，１５ａの巻き始め位置は、以下のように設定されている。
【００２３】
図３に示すように、分割シート１２は、その端縁１２ａが０°に位置合わせされて巻き始め位置とされ、分割シート１３は、その端縁１３ａが１８０°位置で巻き始め位置とされる。この場合、分割シート１２の対向する端縁１２ｂは、多少の重ね代が確保されているため、巻き終わり位置が１８０°＋αとなっており、この重ね代に重合して、分割シート１３の端縁１３ａが重ねられる。同様に、分割シート１３の対向する端縁１３ｂは、多少の重ね代が確保されているため、巻き終わり位置が３６０°＋αとなっており、前記分割シート１２の端縁１２ａに重合して、端縁１３ｂが重ねられる。
【００２４】
また、分割シート１４は、その端縁１４ａが９０°に位置合わせされて巻き始め位置とされ、分割シート１５は、その端縁１５ａが２７０°位置で巻き始め位置とされる。この場合、分割シート１４の対向する端縁１４ｂは、多少の重ね代が確保されているため、巻き終わり位置が２７０°＋αとなっており、この重ね代に重合して、分割シート１５の端縁１５ａが重ねられる。同様に、分割シート１５の対向する端縁１５ｂは、多少の重ね代が確保されているため、巻き終わり位置が９０°＋αとなっており、前記分割シート１４の端縁１４ａに重合して、端縁１５ｂが重ねられる。
【００２５】
マンドレル１００の小径部１００Ａの領域では、各分割シートの端部は、重ね代で重なった状態で巻回された状態となっており、拡径部１００Ｂの領域では、後方に移行するに従い、各分割シートの端縁は離間する（図４及び図５参照）。そして、大径部１００Ｃの領域では、分割シート１２と分割シート１３の組（分割シート組１２，１３）は、それぞれ略４５°巻回されて（０．２５プライ）、対向する位置に離間して配設され、同様に、分割シート１４と分割シート１５の組（分割シート組１４，１５）は、それぞれ略４５°巻回されて（０．２５プライ）、対向する位置に離間して配設される（図６参照）。
【００２６】
前記本体層を構成する分割シート１２〜１５と共に巻回される補助シートは、内層側から順に補助シート２１，２２，２３，２４，２５，２６を有する。この場合、本発明は、これらの補助シートの内、本体層を構成する分割シート１２〜１５に関連して、特に、リアグリップを真円に近い形状にして強度が低下することのない積層構造にする機能を発揮する補助シート２２，２３に特徴を備えている。
以下、これらの補助シートについて説明する。
【００２７】
補助シート２１は、大径部１０Ｃでの肉厚を確保するために巻回されるシートである。前記分割シート１２の内層側に巻回され、マンドレルの大径部１００Ｃの領域に巻回される長さを有する。巻回数は、大径部において、周方向で偏肉が生じないように、整数とすることが好ましく、本実施形態では、図６で示すように、１巻回される。補助シート２１の端縁２１ａの巻き始め位置は、０°位置であり、３６０°巻回して、対向する端縁２１ｂは、多少の重ね代が確保されて、巻き始め位置（端縁２１ａ）で重合される。
【００２８】
補助シート２２，２３は、前記分割シート組（１２，１３）と、分割シート組（１４，１５）との間に巻回されるシートであり、補助シート２２は、マンドレルの拡径部１００Ｂの先端位置から大径部１００Ｃの後端位置に亘って巻回される。また、補助シート（先側補助シート）２３は、マンドレルの小径部１００Ａの先端位置から拡径部１００Ｂの後端位置に亘って巻回される。
これらの補助シート２２，２３は、それぞれ大径部１００Ｃの領域、及び、小径部１００Ａの領域で１周以上巻回されていれば良く、整数倍で巻回されることが好ましい。本実施形態では、１巻回（３６０°＋α；重ね代）に亘って巻回されている。
【００２９】
前記補助シート２２の巻き始め端縁２２ａは、マンドレル１００に対して９０°の位置となっており、大径部１００Ｃの領域では、１巻回される。すなわち、大径部１００Ｃの領域では、３６０°巻回されて、対向する端縁２２ｂは、多少の重ね代が確保されて、巻き始め位置（端縁２２ａ）で重合される（図６参照）。また、拡径部１００Ｂの領域では、その巻き始め位置となる端縁２２ａと、巻き終わり端縁２２ｂ´が周方向で離間するように裁断されており、拡径部１００Ｂでは、巻き始め位置と巻き終わり位置が重合しないようにしている（図４，図５参照）。このため、図２に示すように、拡径部１００Ｂの領域では、補助シート２２は、軸長方向に対して傾斜するように裁断されている（傾斜部が、拡径部１００Ｂの領域で巻き終わり端縁２２ｂ´となる）。
【００３０】
前記補助シート２３の巻き始め端縁２３ａは、マンドレル１００に対して１８０°の位置となっており、小径部１００Ａの領域では、１巻回される（図３参照）。すなわち、小径部１００Ａの領域では、３６０°巻回して、対向する端縁２３ｂは、多少の重ね代が確保されて、巻き始め位置（端縁２３ａ）で重合される。また、拡径部１００Ｂの領域では、その巻き始め端縁２３ａと、巻き終わり端縁２３ｂ´が周方向で離間するように裁断されており、拡径部１００Ｂでは、巻き始め位置と巻き終わり位置が重合しないようにしている（図４参照）。このため、拡径部１００Ｂの領域では、補助シート２３は、軸長方向に対して傾斜するように裁断されている（傾斜部が、拡径部の領域で巻き終わり端縁２３ｂ´となる）。
【００３１】
したがって、本実施形態では、補助シート２２は、大径部１００Ｃの領域において、分割シートが対向配置された分割シート組（１２，１３）及び（１４，１５）の間で周方向に亘って介在した状態で巻回されている（図６参照）。また、補助シート２３は、小径部１００Ａにおいて、１周以上巻回される内側の分割シート（１２，１３）と、その外側で１周以上巻回される外側の分割シート（１４，１５）との間に介在した状態で巻回されている（図１参照）。
【００３２】
さらに、補助シート２２，２３は、拡径部１００Ｂの領域では、分割シート組（１２，１３）及び（１４，１５）の間で、積層方向に重なった状態で巻回されている（図４、図５参照）。この場合、補助シート２２は、拡径部１００Ｂの先端位置から拡径部１００Ｂの後端位置まで次第に巻回量が増加し、かつ、補助シート２３は、拡径部１００Ｂの先端位置から拡径部１００Ｂの後端位置まで次第に巻回量が減少するため、拡径部１００Ｂの領域では、補助シート２２，２３による軸長方向の肉厚変化はなく、安定した巻回状態が得られるように構成している。
【００３３】
補助シート２４は、前記分割シート組（１４，１５）の外層側に巻回されるシートである。補助シート２４は、マンドレルの拡径部１００Ｂの先端位置から大径部１００Ｃの後端位置に亘って巻回され、前記補助シート２２と略同じ形状に裁断されており、本体層である分割シート組（１４，１５）を覆って押さえ付けて安定化させる機能を有する（図６参照）。補助シート２４の巻き始め端縁２４ａは、マンドレル１００に対して２７０°の位置となっており、大径部１００Ｃの領域で１周以上巻回されていれば良く、整数倍で巻回されることが好ましい。本実施形態では、１巻回（３６０°＋α）に亘って巻回されており、巻き終わり端縁２４ｂが巻き始め端縁２４ａで重合されている。
【００３４】
補助シート２５は、前記補助シート２４の外層側に巻回されるシートである。補助シート２５は、マンドレルの拡径部１００Ｂの先端位置から大径部１００Ｃの後端位置に亘って巻回され、前記補助シート２２，２４と略同じ形状に裁断されており、形成されたリアグリップの表面から膨出する凹凸を形成するためのシート（凹凸形成シート）としての機能を備えている。補助シート２５の巻き始め端縁２５ａは、マンドレル１００に対して０°の位置となっており、大径部１００Ｃの領域で１周以上巻回されていれば良く、整数倍で巻回されることが好ましい。本実施形態では、１巻回（３６０°＋α）に亘って巻回されており、巻き終わり端縁２５ｂが巻き始め端縁２５ａで重合されている。
【００３５】
上記した構成の補助シート２５には、形成されるリアグリップの拡径部１０Ｂの領域の表面に凹凸が生じるように、予め所定の位置に矩形のプリプレグ（凸部形成用のプリプレグ片）が取着されている。具体的には、端縁２５ａの近傍に、軸方向に沿う２枚のプリプレグ片３１，３２が周方向に間隔を隔てて取着されており、更に、巻回したときに、２枚のプリプレグ片３１，３２と対向する位置（略１８０°の位置）に、周方向に沿う２枚のプリプレグ片３４，３５が軸方向に間隔を隔てて取着されている。
【００３６】
このようなプリプレグ片３１，３２及び３４，３５を取着した状態で、マンドレルに巻回し、熱硬化すると、図５、及び図７〜図９に示すように、拡径部１０Ｂの表面に、プリプレグ片３１，３２によって、軸方向に延出する一対の凸部３１Ａ，３２Ａが形成されると共に、それと対向する位置の表面に、プリプレグ片３４，３５によって、周方向に延出する一対の凸部３４Ａ，３５Ａが形成される。この場合、プリプレグ片３１，３２及び３４，３５は、補助シート２５の内面に取着しても良いし、外面に取着しても良い。
【００３７】
上記した構成において、各凸部３１Ａ，３２Ａ及び３４Ａ，３５Ａの高さは、図７に示すように、大径部１０Ｃの径Ｄから、径方向外方に突出しない程度に形成することが好ましい。すなわち、補助シート２５に取着されるプリプレグ片３１，３２及び３４，３５は、大径部１０Ｃの径Ｄ以上にならないような肉厚で構成されており、これにより、一体形成される各凸部３１Ａ，３２Ａ及び３４Ａ，３５Ａは、大径部１０Ｃよりも径方向内側に位置するため、他物に衝突し難くすることができる。
【００３８】
上記した凸部３１Ａ，３２Ａを形成することで、図８に示すように、その間に周方向に沿って湾曲する凹状部３３を形成することが可能となる。このような凹凸形状によれば、実釣時において、釣竿のリールシート部分をリールＲと共に握持した際、伸ばした手の肘から前方の前腕部分を安定して載置することが可能となり、リアグリップに、前腕がフィットし易い凸状湾曲面を容易に一体形成することが可能となる。
【００３９】
また、上記した凸部３４Ａ，３５Ａを形成することで、図９に示すように、軸方向に沿った凹凸形状が形成されるため、拡径部１０Ｂから大径部１０Ｃ付近を握持した際、指の引っ掛かりが良くなり、握持性を向上することが可能となる。
【００４０】
以上のように、補助シート２５に、予めプリプレグ片３１，３２及び３４，３５を取着しておき、この補助シート２５をマンドレル１００に巻回することで、リアグリップ１０に、軽量化した状態で操作性を向上する凹凸部を容易かつ効果的に形成することが可能となる。
【００４１】
なお、補助シート２５に取着するプリプレグ片（凹凸形成用のプリプレグ片）の取着位置、形状、肉厚、取着個数等を適宜変形することで、リアグリップに形成される凹凸形状は、様々な形態にすることが可能である。例えば、図１０に示すように、拡径部１０Ｂに、３６０°に亘ってリング状に突出する凸部３４Ａ´，３５Ａ´を軸方向に間隔をおいて形成する等、様々な形態で凹凸を形成することが可能である。
【００４２】
補助シート２６は、前記補助シート２５の外層側に巻回されるシートである。補助シート２６は、マンドレルの拡径部１００Ｂの先端位置から大径部１００Ｃの後端位置に亘って巻回され、前記補助シート２２，２４，２５と略同じ形状に裁断されており、表面の外観を向上するために巻回されるシートとしての機能を備えている。補助シート２６の巻き始め端縁２６ａは、マンドレル１００に対して１８０°の位置となっており、大径部１００Ｃの領域で１周以上巻回されていれば良く、整数倍で巻回されることが好ましい。本実施形態では、１巻回（３６０°＋α）に亘って巻回されており、巻き終わり端縁２６ｂが巻き始め端縁２６ａで重合されている。
【００４３】
前記補助シート２６は、強化繊維を織布状に編成したものであり、このような補助シート２６を最外層とすることで、強化繊維によって格子模様を視認させることができ、外観を向上することができると共に、強度を向上することが可能となる。
【００４４】
また、上記したように、繊維強化樹脂で形成されるリアグリップ１０を構成する本体シート、補助シート、凸部形成用のプリプレグ片は、それを構成する強化繊維の配向方向については限定されることはないが、マンドレル１００に対して巻回作業し易いように、軸長方向に引き揃えられたものであることが好ましい。この場合、拡径部１０Ｂから大径部１０Ｃに至る領域は、織布状の補助シート２６が巻回されて周方向の強度向上が図れることから、小径部１０Ａから拡径部１０Ｂに至る領域においても、周方向の強度向上が図れるように、前記補助シート２３については、強化繊維が軸方向に指向されたシートに、強化繊維が周方向に指向されたシートを重ねておくことが好ましい。
【００４５】
以上説明したように、繊維強化樹脂で形成されるリアグリップ１０は、その本体層が、プリプレグを先側と元側で同じ幅（略同じ幅）にした複数枚の分割シート１２〜１５にして巻回することで構成されており、小径部１０Ａから拡径部１０Ｂを介して大径部１０Ｃに至る領域では、１枚のシートで本体層を構成するのではなく、複数枚の分割シートで構成するため、皺が発生することなく、外観を綺麗に仕上げることが可能となる。そして、大径部１０Ｃには、分割して巻回される分割シート１２〜１５とは別に、１周以上巻回される補助シート２２が積層された状態になるため、各分割シートがねじれることが防止され、強度が安定する。すなわち、３６０°以上周方向に連続した補助シート層によって、分割シートによる本体層がねじれることはなく、真円状態に近付けることが可能となり、外観が低下することがない。
【００４６】
また、本実施形態の拡径部１０Ｂでは、巻回される補助シート２２，２３に重ね代（オーバーラップ）が生じないため、蛇行等することがなく、拡径部での形状が安定し、強度低下が生じることが防止される。また、補助シート２２は、大径部１０Ｃにおいて、分割シートが対向配置された分割シート組（１２，１３）及び（１４，１５）の間で周方向に亘って介在した状態で巻回されているため、分割シート１２〜１４の周方向のバランスが良くなり、強度が安定する。
【００４７】
さらに、上記した実施形態では、小径部１０Ａにおいても、巻回される各分割シート１２〜１５に対して、１周以上巻回される補助シート２３が積層されているため、小径部においても、分割シートの重ね代が多少位置ずれする等、ねじれ易くなっていても、大径部１０Ｃと同様、真円状態に近付けることができ、強度を向上することが可能となる。この場合、補助シート２３は、１周以上巻回される内側の分割シート１２，１３と、その外側で１周以上巻回される外側の分割シート１４，１５の間に介在した状態で巻回されているため、径方向での強度バランスも向上する。
【００４８】
以上、本発明の実施形態について説明したが、本発明は、上記した実施の形態に限定されることはなく、種々変形することが可能である、例えば、上記した実施形態における分割シート、補助シート、凸部形成用のプリプレグ片の構成（例えば、強化繊維の引き揃え方向、合成樹脂の含浸量、肉厚等）については、適宜変形して用いることが可能である。
また、本発明では、補助シートは、少なくとも大径部１０Ｃに配設されていれば良く、それ以外の部分の補助シートは無い構成であっても良いし、更に、別の補助シートを巻回しても良い。この場合、大径部１０Ｃに巻回される補助シート２２は、分割シート１２，１３の内側に巻回しても良いし、分割シート１４，１５の外側に巻回しても良い。
さらに、本体層を構成する分割シートについては、４枚で構成したが、その枚数については限定されることはなく、５枚以上で構成しても良いし、３枚以下で構成しても良い。
【符号の説明】
【００４９】
１  釣竿
１０  リアグリップ
１０Ａ  小径部
１０Ｂ  拡径部
１０Ｃ  大径部
１２〜１５  分割シート
２１〜２６  補助シート
１００  マンドレル
１００Ａ  小径部
１００Ｂ  拡径部
１００Ｃ  大径部
【図１】
2020162463.tif 000003
【図２】
2020162463.tif 000004
【図３】
2020162463.tif 000005
【図４】
2020162463.tif 000006
【図５】
2020162463.tif 000007
【図６】
2020162463.tif 000008
【図７】
2020162463.tif 000009
【図８】
2020162463.tif 000010
【図９】
2020162463.tif 000011
【図１０】
2020162463.tif 000012